(57)【特許請求の範囲】
【請求項１】
容器本体部と蓋部が、後方側でヒンジ部を介して一体に連結し、前記容器本体部の周壁の上端部の外周側に、装着用段差部分を全周に設け、前記蓋部の周壁の下端部の内周側に、装着用段差部分を全周に設ける容器であって、前記蓋部の前記ヒンジ部の対向側の周壁の下端部の内周面に、前記容器本体部に前記蓋部を装着したときに、前記容器本体部の周壁の上端部を挟持する左右方向へ所定幅の挟持インナーリブを設け、かつ、前記蓋部の左右の周壁の下端部の内周面に、前記容器本体部に前記蓋部を装着したときに、前記容器本体部の周壁の上端部を挟持する前後方向へ所定幅の挟持インナーリブをそれぞれに対向させて設け、かつ、前記蓋部の周壁の下端部の装着用段差部分側の内周面に、咬合突部を少なくとも挟持インナーリブが設けられた所定幅の全部又は部分的に設け、かつ、前記容器本体部の周壁の上端部の装着用段差部分側の外周面に、咬合突部を少なくとも前記蓋部の咬合突部と対向する位置に設けたことを特徴とする食品用携帯容器。
【発明の詳細な説明】
【技術分野】
【０００１】
本発明は、菓子類などの食品を収納する携帯に便利で使用し易いプラスチック製の食品用携帯容器に関するものである。
【背景技術】
【０００２】
従来、チューインガム、飴、チョコレートなどの食品用携帯容器として、容器本体部に蓋部がヒンジを介して開閉可能に接続する円筒状（例えば、特許文献１参照。）又は四角筒状（例えば、特許文献２参照。）のプラスチック製の容器が広く使用されていた。
【特許文献１】特開２００５−１５０４７号公報
【特許文献２】特開２００５−３０６４５２公報
【発明の開示】
【発明が解決しようとする課題】
【０００３】
しかしながら、上述したような容器本体部に蓋部がヒンジを介して開閉可能に接続する食品用携帯容器は、蓋部を容器本体部の開口部に閉じたときに、蓋部の係合部が容器本体部の係合部に係合し合うようになっているが、携帯中や流通過程において、容器本体部の胴部が何らかの理由で強く押圧されると、容器本体部が撓んで蓋部と容器本体部の係合が外れて、蓋部が開いてしまうことがあった。
【０００４】
本発明は、上述の従来の食品用携帯容器の問題点を解決したものであり、携帯中や流通過程において、容器本体部に何らかの外力が加わっても、蓋部が容易に開くことがなく、しかも、外観性が良好で、金型構造が複雑にならない食品用携帯容器を提供するものである。
【課題を解決するための手段】
【０００５】
すなわち、本発明の第１の発明は、容器本体部と蓋部が、後方側でヒンジ部を介して一体に連結し、前記容器本体部の周壁の上端部の外周側に、装着用段差部分を全周に設け、前記蓋部の周壁の下端部の内周側に、装着用段差部分を全周に設ける容器であって、前記蓋部の前記ヒンジ部の対向側の周壁の下端部の内周面に、前記容器本体部に前記蓋部を装着したときに、前記容器本体部の周壁の上端部を挟持する左右方向へ所定幅の挟持インナーリブを設け、かつ、前記蓋部の左右の周壁の下端部の内周面に、前記容器本体部に前記蓋部を装着したときに、前記容器本体部の周壁の上端部を挟持する前後方向へ所定幅の挟持インナーリブをそれぞれに対向させて設け、かつ、前記蓋部の周壁の下端部の装着用段差部分側の内周面に、咬合突部を少なくとも挟持インナーリブが設けられた所定幅の全部又は部分的に設け、かつ、前記容器本体部の周壁の上端部の装着用段差部分側の外周面に、咬合突部を少なくとも前記蓋部の咬合突部と対向する位置に設けたことを特徴とする食品用携帯容器である。
【発明の効果】
【０００８】
本発明の食品用携帯容器は、蓋部のヒンジ部の対向側の周壁の下端部の内周面に、容器本体部に蓋部を装着したときに、容器本体部の周壁の上端部を挟持する左右方向へ所定幅の挟持インナーリブを設けられているため、携帯中や流通過程において、容器本体部に何らかの外力が加わっても、蓋部が容易に開くことがない。また、必要に応じては、蓋部の左右の周壁の下端部の内周面にも、容器本体部の周壁の上端部を挟持する前後方向へ所定幅の挟持インナーリブをそれぞれに対向させて設けているため、さらに、容器本体部に何らかの外力が加わっても、蓋部が容易に開くことがない。
【０００９】
また、本発明の食品用携帯容器は、携帯中や流通過程において、容器本体部に何らかの外力が加わっても、蓋部が容易に開くことがないように、蓋部のヒンジ部の対向側の周壁の下端部の内周面および／または蓋部の左右の周壁の下端部の内周面に、容器本体部に蓋部を装着したときに、容器本体部の周壁の上端部を挟持する所定幅の挟持インナーリブを設けたものであり、そのために、外観性を損なうことがなく、また、金型構造も複雑にならない。
【００１０】
次に、本発明の食品用携帯容器の実施の形態について、図を用いて詳細に説明する。
【００１１】
図１は、一実施形態の食品用携帯容器の蓋部を開口したときの平面図であり、図２（ａ）は、そのＡ−Ａ線断面図で、図２（ｂ）は、Ｂ−Ｂ線断面図であり、図３（ａ）は、Ｃ部分の拡大図で、図３（ｂ）は、Ｄ部分の拡大図ある。図４は、蓋部を容器本体部に装着したときの装着部分の係合状態を示す説明図である。
【００１２】
本発明の食品用携帯容器（１０）の構造は、図１に示すように、容器本体部（１００）の後方側に、ヒンジ部（３００）を介して蓋部（２００）が一体に連結し、容器本体部（１００）の周壁（１１０）の上端部の外周側に、蓋部（２００）の周壁（２２０）下端部が装着する装着用段差部分（１１１）を全周に設け、蓋部（２００）の周壁の下端部（２２０）の内周側に、容器本体部（１００）の周壁（１１０）上端部が装着する装着用段差部分（２２１）を全周に設ける四角筒状又は円筒状などの容器である。なお、容器本体部（１００）の装着用段差部分（１１１）の内周面には、図４に示すように、蓋部（２００）との咬合リング又は突部（１１２）を設け、また、蓋部（２００）の装着用段差部分（２２１）の内周面には、容器本体部（１００）との咬合リング又は突部（２２２）を設けるものである、この容器は、ポリプロピレン、ポリエチレンなどの熱可塑性樹脂を用いて、射出成形法により作製するものである。
【００１３】
そして、実施形態１の食品用携帯容器（１０）は、図１及び図２（ａ）に示すように、蓋部（２００）のヒンジ部（３００）の対向側の周壁（２２０）の下端部の内周面に、容器本体部（１００）に蓋部（２００）を装着したときに、容器本体部（１００）の周壁（１１０）の上端部を挟持する所定幅の挟持インナーリブ（２３１）を左右方向の中央位置に設けるものである。なお、蓋部（２００）の左右方向の中央位置の外周面に、図１、図３（ａ）に示す開閉用つまみ（２４０）を突設し、開閉用つまみ（２４０）の先端部下面に、蓋部（２００）を開くときに、指が掛かり易くするめの掛かり突部（２４１）を設けるものである。
【００１４】
また、実施形態２の食品用携帯容器（１０）は、図１、図２（ａ）に示すように、蓋部（２００）のヒンジ部（３００）の対向側の周壁（２２０）の下端部の内周面に、容器本体部（１００）に蓋部（２００）を装着したときに、容器本体部（１００）の周壁（１１０）の上端部を挟持する所定幅の挟持インナーリブ（２３１）を左右方向の中央位置に設け、かつ、図１、図２（ｂ）に示すように、蓋部（２００）の左右の周壁（２２０）の下端部の内周面に、容器本体部（１００）の周壁（１１０）の上端部を挟持する前後方向へ所定幅の挟持インナーリブ（２３２，２３３）をそれぞれに対向させて設けるものである。なお、蓋部（２００）の左右方向の中央位置の外周面に、図１、図３（ａ）に示す開閉用つまみ（２４０）を突設し、開閉用つまみ（２４０）の先端部下面に、蓋部（２００）を開くときに、指が掛かり易くするめの掛かり突部（２４１）を設けるものである。
【図面の簡単な説明】
【００１５】
【図１】本発明の一実施形態の食品用携帯容器の蓋部を開口したときの平面図である。
【図２】（ａ）は、図１のＡ−Ａ線断面図あり、（ｂ）は、Ｂ−Ｂ線断面図である。
【図３】（ａ）は、図２（ａ）のＣ部分の拡大図あり、（ｂ）は、図２（ｂ）のＤ部分の拡大図ある。
【図４】蓋部を容器本体部に装着したときの装着部分の係合状態を示す説明図である。
【符号の説明】
【００１６】
１０……食品用携帯容器
１００……容器本体部
１１０……周壁
１１１，２２１……装着用段差部分
１１２，２２２……咬合リング又は突部
１２０……底板
２００……蓋部
２１０……天板
２２０……周壁
２３１，２３２，２３３……挟持インナーリブ
２４０……開閉用つまみ
２４１……掛かり突部
３００……ヒンジ部
【図１】
0005018273.tif 000002
【図２】
0005018273.tif 000003
【図３】
0005018273.tif 000004
【図４】
0005018273.tif 000005